(57)【要約】【課題】複数の映像を１つの表示装置に表示させるようにする。【解決手段】情報処理装置１０は、映像を表示する複数の表示画面を生成したのち、生成した複数の表示画面の中から映像を表示させる少なくとも１つ以上の表示画面を指定する。その後、情報処理装置１０は、指定した少なくとも１つ以上の表示画面のおのおのに表示する映像の配信要求を映像の配信元に送信し、送信した配信要求が示す映像を指定した表示画面に表示する。【選択図】　図１
2004032216.tif 000002
【特許請求の範囲】
【請求項１】
配信された複数の映像を表示する情報処理装置であって、
映像を表示する複数の表示画面を生成する表示画面生成手段と、
前記表示画面生成手段により生成された前記複数の表示画面の中から、映像を表示させる少なくとも１つ以上の表示画面を指定する表示画面指定手段と、
前記表示画面指定手段により指定された少なくとも１つ以上の表示画面のおのおのに表示する映像の配信要求を映像の配信元に送信する映像配信要求送信手段と、
前記映像配信要求送信手段により送信された前記配信要求が示す映像を、前記表示画面指定手段により指定された前記表示画面に表示する映像表示画面表示手段と、
を備えることを特徴とする情報処理装置。
【請求項２】
前記映像の配信元より配信された映像には、該映像と関連する関連映像にアクセスするアクセス情報が埋め込まれており、
前記関連映像を表示させる関連映像表示画面を前記表示画面のうちから少なくとも１つ以上指定する関連映像表示画面指定手段と、
前記関連映像表示画面指定手段により指定された関連映像表示画面に表示する前記関連映像にアクセスするアクセス情報をもとにして、該関連情報の配信要求を映像の配信元に送信する関連映像配信要求送信手段と、
前記関連映像配信要求送信手段により送信した前記配信要求により示された関連映像を受信し、受信した該関連映像を前記関連映像表示画面指定手段により指定された関連映像表示画面に表示する関連映像表示画面表示手段と、
を備えることを特徴とする請求項１に記載の情報処理装置。
【請求項３】
前記表示画面生成手段により生成された複数の表示画面のそれぞれは、
前記表示画面指定手段と、前記関連映像表示画面指定手段とを備えることを特徴とする請求項１又は２に記載の情報処理装置。
【請求項４】
前記関連映像表示画面指定手段により少なくとも１つ以上指定された前記関連映像表示画面に該関連映像以外の映像が表示されていた場合には、該関連映像以外の映像の表示を停止させる映像表示停止手段と、
を備え、
前記関連映像表示画面表示手段は、
前記関連映像配信要求送信手段により送信した前記配信要求により示された関連映像を受信し、受信した該関連映像を前記関連映像表示画面指定手段により指定された関連映像表示画面に表示する、
ことを特徴とする請求項１乃至３のいずれか１項に記載の情報処理装置。
【請求項５】
前記表示画面生成手段により生成された前記複数の表示画面に、同時に映像を表示させる入力情報を入力する同時映像表示入力手段と、
前記同時映像表示入力手段により入力された前記入力情報に従って、全ての表示画面の各々に表示する映像の配信要求を映像の配信元に送信する全映像配信要求送信手段と、
前記全映像配信要求送信手段により送信された前記配信要求が示す映像を、各々の前記表示画面に表示する全映像表示画面表示手段と、
を更に備えることを特徴とする請求項１乃至４のいずれか１項に記載の情報処理装置。
【請求項６】
配信された複数の映像を表示する情報処理方法であって、
映像を表示する複数の表示画面を生成し、
生成した前記複数の表示画面の中から、映像を表示させる少なくとも１つ以上の表示画面を指定し、
指定した少なくとも１つ以上の表示画面のおのおのに表示する映像の配信要求を映像の配信元に送信し、
送信した前記配信要求が示す映像を、指定した前記表示画面に表示する、
ことを特徴とする情報処理方法。
【請求項７】
映像を表示する複数の表示画面を生成する手順、
生成した前記複数の表示画面の中から、映像を表示させる少なくとも１つ以上の表示画面を指定する手順、
指定した少なくとも１つ以上の表示画面のおのおのに表示する映像の配信要求を映像の配信元に送信する手順、
送信した前記配信要求が示す映像を指定した前記表示画面に表示する手順、
をコンピュータに実行させるプログラム。
【発明の詳細な説明】
【０００１】
【発明の属する技術分野】
この発明は、互いに関連する映像を表示する情報処理装置、情報処理方法、及びプログラムに関する。
【０００２】
【従来の技術】
近年、インターネットの一般への普及、ブロードバンド化が進み、文字、静止画像がユーザ端末に配信されるのみでなく、動画像、すなわち映像もユーザ端末に配信されるようになっている。
ところで、インターネットを介しＷｅｂ上に動画や音声をストリーム再生するためには、映像を再生するための映像再生用のソフトウェアがユーザ端末にインストールされていなけらればならない。
映像再生用のソフトウェアとして広く使用されているものとして、Ｒｅａｌ　Ｐｌａｙｅｒ、Ｍｅｄｉａ　Ｐｌａｙｅｒ、Ｑｕｉｃｋ　Ｔｉｍｅ等がある。
【０００３】
【発明が解決しようとする課題】
しかしながら、映像を再生するユーザ端末に使用されている映像再生用のソフトウェアは、ブラウザのプラグインを必要とするとともに、各フォーマットごとに存在する定型プレーヤー内の制限された機能の中で、ユーザ端末に映像の配信を行うので、単に映像を流すだけであり、流された映像に関連する他の映像をマルチ画面上に表示するという、映像配信サービスを受けることができないという問題点があった。
【０００４】
この発明は、上述した問題点に鑑み、複数の映像を１つの表示装置に表示することができる情報処理装置等を提供することを目的とする。
また、この発明は、関連する複数の映像を１つの表示装置に表示することができる情報処理装置等を提供することを目的とする。
【０００５】
【課題を解決するための手段】
上記目的を達成するために、この発明の第１の観点にかかる情報処理装置は、
配信された複数の映像を表示する情報処理装置であって、
映像を表示する複数の表示画面を生成する表示画面生成手段と、
前記表示画面生成手段により生成された前記複数の表示画面の中から、映像を表示させる少なくとも１つ以上の表示画面を指定する表示画面指定手段と、
前記表示画面指定手段により指定された少なくとも１つ以上の表示画面のおのおのに表示する映像の配信要求を映像の配信元に送信する映像配信要求送信手段と、
前記映像配信要求送信手段により送信された前記配信要求が示す映像を、前記表示画面指定手段により指定された前記表示画面に表示する映像表示画面表示手段とを備えることを特徴とする。
【０００６】
このような構成によれば、複数の映像を１つの表示装置に表示することができる。
【０００７】
前記配信元より配信された映像には、該映像と関連する関連映像にアクセスするアクセス情報が埋め込まれており、
前記関連映像を表示させる関連映像表示画面を前記表示画面のうちから少なくとも１つ以上指定する関連映像表示画面指定手段と、
前記関連映像表示画面指定手段により指定された関連映像表示画面に表示する前記関連映像にアクセスするアクセス情報をもとにして、該関連情報の配信要求を映像の配信元に送信する関連映像配信要求送信手段と、
前記関連映像配信要求送信手段により送信した前記配信要求により示された関連映像を受信し、受信した該関連映像を前記関連映像表示画面指定手段により指定された関連映像表示画面に表示する関連映像表示画面表示手段とを備えるようにしてもよい。
これにより、関連する複数の映像を１つの表示装置に表示することができる。
【０００８】
前記表示画面生成手段により生成された複数の表示画面のそれぞれは、
前記表示画面指定手段と、前記関連映像表示画面指定手段とを備えるようにしてもよい。
【０００９】
前記関連映像表示画面指定手段により少なくとも１つ以上指定された前記関連映像表示画面に該関連映像以外の映像が表示されていた場合には、該関連映像以外の映像の表示を停止させる映像表示停止手段と、
を備え、
前記関連映像表示画面表示手段は、
前記関連映像配信要求送信手段により送信した前記配信要求により示された関連映像を受信し、受信した該関連映像を前記関連映像表示画面指定手段により指定された関連映像表示画面に表示するようにしてもよい。
【００１０】
前記表示画面生成手段により生成された前記複数の表示画面に、同時に映像を表示させる入力情報を入力する同時映像表示入力手段と、
前記同時映像表示入力手段により入力された前記入力情報に従って、全ての表示画面の各々に表示する映像の配信要求を映像の配信元に送信する全映像配信要求送信手段と、
前記全映像配信要求送信手段により送信された前記配信要求が示す映像を、各々の前記表示画面に表示する全映像表示画面表示手段とを更に備えるようにしてもよい。
【００１１】
また、この発明の第２の観点に係る情報処理装置は、
配信された複数の映像を表示する情報処理方法であって、
映像を表示する複数の表示画面を生成し、
生成した前記複数の表示画面の中から、映像を表示させる少なくとも１つ以上の表示画面を指定し、
指定した少なくとも１つ以上の表示画面のおのおのに表示する映像の配信要求を映像の配信元に送信し、
送信した前記配信要求が示す映像を、指定した前記表示画面に表示することを特徴とする。
【００１２】
このような構成によれば、複数の映像を１つの表示装置に表示することができる。
【００１３】
また、この発明の第３の観点に係るプログラムは、
映像を表示する複数の表示画面を生成する手順、
生成した前記複数の表示画面の中から、映像を表示させる少なくとも１つ以上の表示画面を指定する手順、
指定した少なくとも１つ以上の表示画面のおのおのに表示する映像の配信要求を映像の配信元に送信する手順、
送信した前記配信要求が示す映像を指定した前記表示画面に表示する手順、
をコンピュータに実行させる。
【００１４】
このような構成によれば、複数の映像を１つの表示装置に表示することができる。
【００１５】
【発明の実施の形態】
以下、この発明の実施の形態に係る情報処理装置を説明する。
【００１６】
図１はこの発明の実施の形態に係る情報処理装置の構成を示すブロック図である。
この情報処理装置１０は、図１に示すように、制御部１１と、記憶部１２と、入力部１３と、表示部１４と、通信制御部１５と、第１表示ドライバ部１６〜第６表示ドライバ部１６から構成され、各部はバス１７により互いに接続されている。
【００１７】
制御部１１は、ＣＰＵ（Ｃｅｎｔｒａｌ　Ｐｒｏｃｅｓｓｉｎｇ　Ｕｎｉｔ）等を備え、制御プログラムに従って、配信されてきた映像を表示部１４に表示させる後述する処理を実行する。
【００１８】
記憶部１２は、ＲＡＭ（Ｒａｎｄｏｍ　Ａｃｃｅｓｓ　Ｍｅｍｏｒｙ）、ＲＯＭ（Ｒｅａｄ　Ｏｎｌｙ　Ｍｅｍｏｒｙ）、ハードディスク装置等を備え、図２（ａ）に示すように、上記制御プログラム１２１、属性データ記憶ファイル１２２、制御部１１の作業領域１２３を備えている。
【００１９】
属性データ記憶ファイル１２２は、図２（ｂ）に示すように、配信されてきた映像に埋め込まれていた属性情報をもとにして生成された属性データを記憶する。
属性データは、映像から読み出された順番、属性情報の内容からなるデータ項目を備えている。
属性情報の内容には、１）配信された映像の所属する分類（例えばスポーツに属する分類）、２）配信されてきた映像に関連する映像（以下、関連映像という）がある場合には、その関連映像を記憶する映像記憶ファイル等にアクセスするために必要となるＵＲＬ（Ｕｎｉｆｏｒｍ　Ｒｅｓｏｕｃｅ　Ｌｏｃａｔｏｒ）等が備えられている。
【００２０】
例えば、映像のフレームが図３に示すように配信されてきた場合、符号Ａに示したフレームに分野が「スポーツ」で、ＵＲＬが「ｈｔｔｐ：／／ｗｗｗ．ｓｏｃｃｅｒ．ｃｏ．ｊｐ」等の情報を備える属性情報が埋め込まれ、符号Ｂに示したフレームに分野が「スポーツ」で、ＵＲＬが「ｈｔｔｐ：／／ｗｗｗ．ｂａｓｅｂａｌｌ．ｃｏ．ｊｐ」等の情報を備える属性情報が埋め込まれ、符号Ｃに示したフレームに分野が「スポーツ」で、ＵＲＬが「ｈｔｔｐ：／／ｗｗｗ．ｍａｒａｔｈｏｎ．ｃｏ．ｊｐ」等の情報を備える属性情報が埋め込まれている。
【００２１】
入力部１３は、カーソルキー、数字入力キー等備えたキーボード、マウスを備え、キーボードで押下されたキーの押下信号やマウスの操作信号を制御部１１に出力する。また、入力部１３は、配信されてきた映像データを制御部１１に入力する。
【００２２】
表示部１４は、ＣＲＴ（Ｃａｔｈｏｄｅ　Ｒａｙ　Ｔｕｂｅ）、液晶表示パネル等により構成され、制御部１１から出力された表示データに従った画像を表示する。
通信制御部１５は、映像配信する映像配信サーバとの通信の制御を行う。
【００２３】
第１表示ドライバ部１６は、表示部１４に形成された６つの表示画面（後述する）のうちの第１表示画面に映像を表示させるドライバ、第１表示画面に表示される映像（映像データ）を一時記憶するＲＡＭ等を備えている。
第２表示ドライバ部１６は、同様に第２表示画面に映像を表示させるドライバー、第２表示画面に表示される映像を一時記憶するＲＡＭ等を備えている。
第３表示ドライバ部１６は、同様に第３表示画面に映像を表示させるドライバ、第３表示画面に表示される映像を一時記憶するＲＡＭ等を備えている。
第４表示ドライバ部１６は、同様に第４表示画面に映像を表示させるドライバ、第４表示画面に表示される映像を一時記憶するＲＡＭ等を備えている。
第５表示ドライバ部１６は、同様に第５表示画面に映像を表示させるドライバ、第５表示画面に表示される映像を一時記憶するＲＡＭ等を備えている。
第６表示ドライバ部１６は、同様に第６表示画面に映像を表示させるドライバ、第６表示画面に表示される映像を一時記憶するＲＡＭ等を備えている。
【００２４】
次に、この実施形態に係る情報処理装置の動作を、図４及び図５に示すフローチャートを参照して説明する。
【００２５】
情報処理装置１０の制御部１１は、ユーザの操作により電源が立ち上げられると、表示部１４にホーム画面（図示せず）を表示する（ステップＳ１）。その後、ユーザの操作により、ホーム画面に表示されている所定のアイコンをダブルクリックすると、アイコンにより指定された制御プログラム１２１が起動を開始する。その後、制御部１１は、図６に示すように、映像を表示することが可能な第１表示画面〜第６表示画面からなる６つの表示画面と、「全表示」ボタンと、「終了」ボタンとを表示部１４に表示する（ステップＳ２）。
【００２６】
これら第１表示画面〜第６表示画面はそれぞれ、図７に示すように、第１クリッカブルマップ、第２クリッカブルマップ、第３クリッカブルマップ及び第４クリッカブルマップを備えている。
第１クリッカブルマップは、その表示画面に表示する映像を記憶する映像ファイル等にアクセスするＵＲＬがリンクされている。
第２クリッカブルマップは、クリックされると、属性情報を属性データ記憶ファイル１２２から読み出せる指示を制御部１１に出力する
第３クリッカブルマップは、クリックされると、他の表示画面において第２クリッカブルマップがクリックされたとき、属性データ記憶ファイル１２２から読み出された属性データにより示された映像（以下、関連映像という）をこの表示画面に表示させる指示を制御部１１に出力する。
第４クリッカブルマップは、クリックされると、表示画面に表示されている映像の表示を停止させる指示を制御部１１に出力する。
【００２７】
「全表示」ボタンは、第１表示画面〜第６表示画面のすべての表示画面に映像を表示させるために使用されるボタンである。
「終了」ボタンは、第１表示画面〜第６表示画面のうち映像が表示されている表示画面の映像の停止に使用される。
【００２８】
制御部１１は、第１表示画面〜第６表示画面等を表示部１４に表示した後、ユーザの操作により、第ｉ表示画面（ｉ＝１，２，・・・，６）に有する第１クリッカブルマップがクリックされると（ステップＳ３）、第ｉ表示ドライバ部１６に起動を駈けるとともに、この第１クリッカブルマップにリンクされているＵＲＬに指定された映像を記憶する映像記憶ファイル等にアクセスし、この映像記録ファイル等から映像データを順次読み出す（ステップＳ４）。
【００２９】
制御部１１は、読み出した映像データに属性情報が埋め込まれているときには、その属性情報を映像データから読み出し、例えば、図２に示す属性データを生成し、生成した属性データを記憶部１２の属性データ記憶ファイル１２２に記憶するとともに、映像データを第ｉ表示ドライバ部１６に備えられているＲＡＭに記憶する（ステップＳ５）。
【００３０】
制御部１１により起動が駈けられた第ｉ表示ドライバ部１６は、自身に備えられているドライバがＲＡＭに記憶する映像データを順次読み出し、読み出した映像データに従った映像を第ｉ表示画面に表示する（ステップＳ６）。
例えば、第１クリッカブルマップにリンクされているＵＲＬより指定される映像記憶ファイルがスポーツに関する映像データを記憶する場合には、第ｉ表示画面に表示される映像はスポーツに関する映像である。
【００３１】
その後、制御部１１は、ユーザの操作により、第２クリッカブルマップがクリックされると（ステップＳ７）、記憶部１２の属性データ記憶ファイル１２２からｍ番目の属性データを読み出し、記憶部の作業領域に記憶する（ステップＳ８）。なお、一番始めの場合は、ｍが１である。
【００３２】
制御部１１は、その後、ユーザの操作により、第ｉ表示画面以外の第ｋ表示画面（ｋ≠ｉ、ｋ＝１，２，・・・，６）に有する第３クリッカブルマップがクリックされたか否かを判定する（ステップＳ９）。制御部１１は、第ｋ表示画面に有する第３クリッカブルマップがクリックされなかったと判定した場合には（ステップＳ９；ＮＯ）、第３クリッカブルマップがクリックされるのを待ち続ける。一方、制御部１１は、第ｋ表示画面に有する第３クリッカブルマップがクリックされたと判定した場合には（ステップＳ９；ＹＥＳ）、更に、第ｋ表示ドライバ部が起動しているか否かを判定する（ステップＳ１０）。
【００３３】
制御部１１は、第ｋドライバ部１６が起動していると判定した場合には（ステップＳ１０；ＹＥＳ）、ユーザの操作により第ｋ表示画面に有する第４クリッカブルマップがクリックされたか否かを判別する（ステップＳ１１）。制御部１１は、第ｋ表示画面に有する第４クリッカブルマップがクリックされていないと判別した場合には（ステップＳ１１；ＮＯ）、第４クリッカブルマップがクリックされるのを待ち続ける。一方、制御部１１は、第ｋ表示画面に有する第４クリッカブルマップがクリックされたと判別した場合には（ステップＳ１１；ＹＥＳ）、第ｋ表示ドライバ部１６の起動を停止させ、第ｋ表示画面に表示されている映像の表示を終了し（ステップＳ１２）、次のステップＳ１３に処理を移行する。
【００３４】
ステップＳ１０において、制御部１１は、第ｋドライバ部１６が起動していないと判定した場合には（ステップＳ１０；ＮＯ）、第ｋドライバ部１６を起動させる（ステップＳ１３）。その後、制御部１１は、作業領域に記憶されている属性データが示すＵＲＬにより指定された映像記憶ファイル等にアクセスし、この映像ファイル等に記憶されている関連映像データを順次読み出し、第ｋ表示ドライバ部１６のＲＡＭに記憶する（ステップＳ１４）。
【００３５】
第ｋ表示ドライバ部１６に有するドライバは、ＲＡＭから映像データを読み出し、第ｋ表示画面に関連映像を表示する（ステップＳ１５）。
【００３６】
その後、制御部１１は、作業領域に有する変数ｍに１を加算して得た値を、新たに変数ｍとし（ステップＳ１５）、ステップＳ８に処理を移行し、上述したような処理を、ユーザが必要とする関連情報を得るまで続行する。
【００３７】
ステップＳ２において、第１表示画面〜第６表示画面が表示された表示部１４中の「全表示」ボタンがクリックされたときの動作を説明する。
【００３８】
ユーザの操作により、「全表示」ボタンがクリックされると、制御部１１は、第１表示ドライバ部１６を起動させる。その後、制御部１１は、第１表示画面に表示する映像を記憶する映像記憶ファイルにアクセスし、その映像記憶ファイルから映像データを読み出す。そして、制御部１１は、読み出した映像データを第１表示ドライバ部１６のＲＡＭに記憶する。
【００３９】
次に、第１表示ドライバ部１６は、ＲＡＭから映像データを読み出し、第１表示画面に映像データに従った映像を表示する。
【００４０】
その後、制御部１１は、同様にして、第２表示画面から第６表示画面に順次、各表示画面に映像を表示させる。
【００４１】
ステップＳ２において、第１表示画面〜第６表示画面が表示された表示部１４中の「終了」ボタンがクリックされたときの動作を説明する。
【００４２】
ユーザの操作により、「終了」ボタンがクリックされると、制御部１１は、第１表示ドライバ部１６〜第６表示ドライバ部１６の起動を順次停止させて、第１表示画面〜第６表示画面の映像の表示を停止させるとともに、映像の読み出しを停止する。
【００４３】
この実施形態に係る情報処理装置１０によれば、映像を表示する複数の表示画面を生成し、生成した複数の表示画面の中から、映像を表示させる少なくとも１つ以上指定した表示画面のおのおのに配信されるので、複数の映像を１つの表示装置に表示させることができる。
【００４４】
また、この情報処理装置１０によれば、指定された関連映像を表示させる表示画面に表示する関連映像の配信要求を映像の配信元に送信し、この配信要求した関連映像を表示画面に表示させるので、関連する複数の映像を１つの表示装置に表示させることができる。
【００４５】
上述した実施形態に係る情報処理装置１０は、表示部１４に６つの表示画面を生成するような構成であったが、これに限らないことはいうまでもない。
【００４６】
【発明の効果】
以上、この発明によれば、複数の映像を１つの表示装置に表示させることができる。
また、関連する複数の映像を１つの表示装置に表示させることができる。
【図面の簡単な説明】
【図１】この発明の実施形態に係る情報処理装置の構成を示すブロック図である。
【図２】（ａ）図１中の記憶部の構成を示す図である。
（ｂ）属性データ記憶ファイルの構成を示す図である。
【図３】映像に埋め込まれた属性情報を説明する図である。
【図４】実施形態に係る情報処理装置の動作を示すフローチャートである。
【図５】実施形態に係る情報処理装置の動作を示すフローチャートである。
【図６】図１中の表示部に形成された表示画面の例を示す図である。
【図７】図６中の表示画面を説明する図である。
【符号の説明】
１０　情報処理装置
１１　制御部
１２　記憶部
１２１　制御プログラム
１２２　属性データ記憶ファイル
１３　入力部
１４　表示部
１５　通信制御部
１６　表示ドライバ部
【図１】
2004032216.tif 000003
【図２】
2004032216.tif 000004
【図３】
2004032216.tif 000005
【図４】
2004032216.tif 000006
【図５】
2004032216.tif 000007
【図６】
2004032216.tif 000008
【図７】
2004032216.tif 000009